(57)【要約】【課題】複数の機関において利用される情報を一元的に管理することにより、患者の情報を効率よく管理して、患者主体の医療サービスを提供する。【解決手段】各病院における医療情報を管理するデータベースが備えられた病院端末２ａ〜２ｂと、医療情報管理サーバ１とが接続され、病院端末２ａ〜２ｂにおいて、データベース２７の情報が更新されると、更新された医療情報が患者情報と対応付けて医療情報管理サーバ１に送信され、医療情報管理サーバ１において、受信した患者情報に基づいて、データベース１７内の関連する医療情報との統合化を行う。【選択図】図１
2005078183.tif 000002
【特許請求の範囲】
【請求項１】
医療情報を取得する病院端末と、統合的に医療情報を管理するデータベースを備える医療情報管理サーバとがネットワークを介して接続される医療情報管理システムであって、
前記病院端末は、
前記取得した医療情報を患者情報に対応付けて送信する通信部を備え、
前記医療情報管理サーバは、
医療情報及び患者情報を受信する受信手段と、
前記受信した患者情報に基づいて、前記受信した医療情報に関連する医療情報がデータベースにあるか否かを解析するデータ解析手段と、
前記データ解析手段の解析結果に基づいて、受信した医療情報に関連する医療情報がある場合に、受信した医療情報と関連する医療情報とを一元化してデータベースに格納するデータ一元化手段と、
を備えることを特徴とする医療情報管理システム。
【請求項２】
医療情報を格納する第１のデータベースを備える病院端末と、統合的に医療情報を管理する第２のデータベースを備える医療情報管理サーバとがネットワークを介して接続される医療情報管理システムであって、
前記病院端末は、
第１のデータベースに格納される医療情報が更新された場合に、当該更新された医療情報を患者情報に対応付けて送信する更新データ送信手段を備え、
前記医療情報管理サーバは、
更新された医療情報及び患者情報を受信する受信手段と、
前記受信した患者情報に基づいて、前記受信した医療情報に関連する医療情報が第２のデータベースにあるか否かを解析するデータ解析手段と、
前記データ解析手段の解析結果に基づいて、受信した医療情報に関連する医療情報がある場合に、受信した医療情報と関連する医療情報とを一元化して第２のデータベースに格納するデータ一元化手段と、
を備えることを特徴とする医療情報管理システム。
【請求項３】
前記データ解析手段は、第２のデータベースに格納されている医療情報に重複するデータがあるか否かを解析し、
前記データ統合化手段は、前記データ解析手段の解析結果に基づいて、重複する医療情報がある場合に、重複する医療情報を削除することにより第２のデータベースに格納された医療情報を一元化することを特徴とする請求項２記載の医療情報管理システム。
【請求項４】
前記データ一元化手段は、前記データ解析手段の解析結果に基づいて、受信した医療情報に関連する医療情報が第２のデータベースにない場合、受信した医療情報を新規な情報として、第２のデータベースに格納させることを特徴とする請求項２記載の医療情報管理システム。
【請求項５】
前記患者情報は、患者氏名、患者ＩＤ、年齢、住所、性別、血液型、身長、体重、ＤＮＡ情報のうち少なくとも１つを含むことを特徴とする請求項１から４のいずれか一項に記載の医療情報管理システム。
【発明の詳細な説明】
【技術分野】
【０００１】
本発明は、患者の医療情報を一元化して管理する医療情報管理システムに関する。
【背景技術】
【０００２】
近年、医療の効率化が求められている中で、院内外のネットワーク化、システム化が進んでおり、病院情報システム（ＨＩＳ）、放射線科情報システム（ＲＩＳ）、画像保存転送システム（ＰＡＣＳ）、電子カルテ、遠隔医療などを有機的に連携させるトータルシステムとしてのニーズも大きくなってきている。さらに、地域医療を効率的に行うために医療機関間でのデータの共有化も徐々に進行してきており、これにより患者の重複した検査や治療、薬の投与などが避けられるようになってきた。
【０００３】
例えば、特開平９−２８６８２号公報には、病院情報システムに対し個人健康管理システムが、地域センタを介して接続されたパーソナル健康管理システムが開示されている（特許文献１参照）。このパーソナル健康管理システムによれば、病院内に設けられる病院情報システムと、病院施設の外部に設けられる通信システム、通常健康管理システム、在宅医療時管理システム、個人情報管理システム、生活情報システム、業務情報システムがそれぞれ地域センタを介して接続され、操作者は、所望のシステムを選択して、各システムの提供するサービスを受けることがことができる。
【特許文献１】特開平９−２８６８２号公報
【発明の開示】
【発明が解決しようとする課題】
【０００４】
しかしながら，上述したパーソナル健康管理システムにおいては、各システムは地域センタを介して接続されているものの、独立したシステムとして構成されているため、各システム間における情報の共有化は図られていなかった。すなわち、患者は、各システムに点在して管理される情報にアクセスすることにより、必要な情報を収集する必要があり、患者の立場に立った利用しやすいシステムではなかった。
【０００５】
また、各システムの情報が個々に管理されるため、情報の管理形態が異なると、同じ患者が別の患者として２重登録される場合もあり得る。これにより、無駄な検査や投薬が行われる可能性も生じていた。
【０００６】
本発明の課題は、複数の機関において利用される情報を一元的に管理することにより、患者の情報を効率よく管理して、患者主体の医療サービスを提供可能な医療システムを提供することである。
【課題を解決するための手段】
【０００７】
上記課題を解決するために、請求項１記載の発明は、
医療情報を取得する病院端末と、統合的に医療情報を管理するデータベースを備える医療情報管理サーバとがネットワークを介して接続される医療情報管理システムであって、
前記病院端末は、
前記取得した医療情報を患者情報に対応付けて送信する通信部を備え、
前記医療情報管理サーバは、
医療情報及び患者情報を受信する受信手段と、
前記受信した患者情報に基づいて、前記受信した医療情報に関連する医療情報がデータベースにあるか否かを解析するデータ解析手段と、
前記データ解析手段の解析結果に基づいて、受信した医療情報に関連する医療情報がある場合に、受信した医療情報と関連する医療情報とを一元化してデータベースに格納するデータ一元化手段と、
を備えることを特徴としている。
【０００８】
請求項２記載の発明は、
医療情報を格納する第１のデータベースを備える病院端末と、統合的に医療情報を管理する第２のデータベースを備える医療情報管理サーバとがネットワークを介して接続される医療情報管理システムであって、
前記病院端末は、
第１のデータベースに格納される医療情報が更新された場合に、当該更新された医療情報を患者情報に対応付けて送信する更新データ送信手段を備え、
前記医療情報管理サーバは、
更新された医療情報及び患者情報を受信する受信手段と、
前記受信した患者情報に基づいて、前記受信した医療情報に関連する医療情報が第２のデータベースにあるか否かを解析するデータ解析手段と、
前記データ解析手段の解析結果に基づいて、受信した医療情報に関連する医療情報がある場合に、受信した医療情報と関連する医療情報とを一元化して第２のデータベースに格納するデータ一元化手段と、
を備えることを特徴としている。
【０００９】
請求項３記載の発明は、請求項２記載の医療情報管理システムにおいて、
前記データ解析手段は、第２のデータベースに格納されている医療情報に重複するデータがあるか否かを解析し、
前記データ統合化手段は、前記データ解析手段の解析結果に基づいて、重複する医療情報がある場合に、重複する医療情報を削除することにより第２のデータベースに格納された医療情報を一元化することを特徴とする。
【００１０】
請求項４記載の発明は、請求項２記載の医療情報管理システムにおいて、
前記データ一元化手段は、前記データ解析手段の解析結果に基づいて、受信した医療情報に関連する医療情報が第２のデータベースにない場合、受信した医療情報を新規な情報として、第２のデータベースに格納させることを特徴としている。
【００１１】
請求項５記載の発明は、請求項１から４のいずれか一項に記載の医療情報管理システムにおいて、
前記患者情報は、患者氏名、患者ＩＤ、年齢、住所、性別、血液型、身長、体重、ＤＮＡ情報のうち少なくとも１つを含むことを特徴としている。
【発明の効果】
【００１２】
請求項１記載の発明によれば、医療情報管理サーバにおいて、医療情報を一元化して管理することができるため、必要な医療情報を迅速かつ的確に取得することができ、診断の効率化や診断精度を向上させることができる。これにより、例えば、同一患者に対する重複検査や重複投薬を防いで、患者を主体とした良質な医療サービスを提供することができる。
【００１３】
請求項２記載の発明によれば、第１のデータベースに格納される医療情報が更新された場合に、更新された医療情報を医療情報管理サーバに送信して、医療情報管理サーバの備える第２のデータベースにて一元的に医療情報を管理することができる。これにより、複数の病院端末において管理されている医療情報を的確に医療情報管理サーバにて統合的に管理することができる。
【００１４】
請求項３記載の発明によれば、第２のデータベースに記憶される医療情報のうち重複する医療情報を削除してデータの一元化を行うことにより、有効に第２のデータベース資源を利用することができる。また、医療情報を利用する際に重複した医療情報が取得されることを防いで、迅速かつ的確に医療情報を利用した診断を行うことができる。
【００１５】
請求項４記載の発明によれば、病院端末において更新された医療情報と関連する医療情報が第２のデータベースにない場合、受信した医療情報を新規な情報として管理することにより、医療情報を適切に管理することができる。
【００１６】
請求項５記載の発明によれば、データ解析手段により種々の情報に基づいて医療情報の関連性を判断することができ、関連する医療情報について的確にデータの統合化を行うことができる。これにより、効率良く医療情報の取得及び利用を図ることができる。
【発明を実施するための最良の形態】
【００１７】
以下、図１〜図１０を参照して本発明の実施の形態を詳細に説明する。ただし、発明の範囲は、図示例に限定されない。
【００１８】
まず、本実施の形態の構成を説明する。
本実施の形態における医療情報管理システム１００は、地域医療情報化を目的とするものであり、各種病院端末２ａ〜２ｂで運用されているデータベースをネットワークＮにより接続し、各病院端末２ａ〜２ｂにて管理される医療情報を医療情報管理サーバ１により一元管理する。また、医療情報管理サーバ１により管理される医療情報を病院端末２ａ〜２ｂ及び患者端末３ａ〜３ｂにホームページを通じて利用可能とすることにより、病院又は患者間における情報の共有化を図るものである。
【００１９】
図１は、医療情報管理システム１００のシステム構成の一例を示す図である。図１に示すように、医療情報管理システム１００は、医療情報管理サーバ１と、病院端末２ａ〜２ｂと、患者端末３ａ〜３ｂとから構成され、各装置はネットワークＮを介して相互にデータの送受信が可能なように構成されている。なお、各装置の設置台数及び設置箇所は図示例に限定されず、任意に設置可能なことは勿論である。
【００２０】
ネットワークＮは、医療情報管理サーバ１と、複数の病院端末２ａ〜２ｂ及び患者端末３ａ〜３ｂとを接続して構成され、接続されたサーバ及び複数の端末間で情報や資源（例えば、データベース、出力装置等）を共有するための限られたエリア内におけるネットワークである。ネットワークＮは、例えば、ＷＷＷ（ワールド・ワイド・ウェブ）やＴＣＰ／ＩＰなどの、インターネットで普及している技術を使って構築することにより、信頼性の高いネットワークをスピーディに構築できるとともに、インターネットとの親和性を高めることができる。なお、ネットワークＮは、情報管理の信頼性の観点から、特定のユーザのみアクセス可能なセキュリティを確保しているネットワークであることが望ましい。
【００２１】
医療情報管理サーバ１は、医療情報を一元管理するための装置であり、ネットワークＮを介して接続された病院端末２ａ〜２ｂから医療情報を受信し、情報を一元化してデータベース１７に格納する。また、医用情報管理サーバ１は、ネットワークＮ上にホームページ（ＨＰ）を開設し、このＨＰ上において病院端末２ａ〜２ｂ，患者端末３ａ〜３ｂに一元管理された医療情報の提供を行う。
【００２２】
図２を参照して、医療情報管理サーバ１について詳細に説明する。図２は、医療情報管理サーバ１の機能的構成を示すブロック図である。図２に示すように、医療情報管理サーバ１は、制御部１１、通信部１２、ホームページ開設手段１３、アクセス件管理手段１４、データ解析手段１５、データ一元化手段１６、データベース１７等を備えて構成される。
【００２３】
制御部１１は、データベース１７内の記憶装置（図示せず）に記憶されている各種システムプログラムを読み出して実行し、医療情報管理サーバ１の各部を駆動制御する。
【００２４】
具体的に、制御部１１は、病院端末２ａ〜２ｂから受信した更新された医療情報を一元化してデータベース１７に格納する更新データ一元化処理（図７参照）と、データベース１７に格納される医療情報のうち重複するデータを一元化する重複データ一元化処理（図８参照）を実行する。
【００２５】
通信部１２は、ＬＡＮ、ＷＡＮ、あるいはインターネット等のネットワークＮに接続された伝送媒体に接続可能なインターフェ−スである。
【００２６】
ホームページ開設手段１３は、作成されたホームページのデータをプロバイダへのアップロードし、ネットワーク上にホームページを公開する。本実施の形態においては、このホームページにおいて、病院端末２ａ〜２ｂ及び患者端末３ａ〜３ｂのアクセスを受け付け、データベース１７に格納される医療情報を提供する。
【００２７】
アクセス権管理手段１４は、上述したホームページを介してアクセスされた病院端末２ａ〜２ｂ又は患者端末３ａ〜３ｂの認証を行い、データベース１７に格納される医療情報のうちアクセス可能な医療情報をアクセス権に応じて提供する。例えば、病院Ａに勤務する医師により病院端末２ａを介してアクセスされた場合、アクセス権管理手段１４は、データベース１７に格納される全ての患者の電子カルテを閲覧可能とする。また、患者端末３ａを介して患者Ｃからアクセスされた場合、データベース１７に格納される電子カルテのうち患者Ｃの情報についてのみ閲覧可能とする。
【００２８】
データ解析手段１５は、ネットワークを介して受信した医療情報と、データベースに格納されている医療情報との関連性を解析する。例えば、患者情報をキーワードとして、受信した医療情報と同一患者の医療情報がデータベース１７内に格納されているかを検証し、データベース内に同一患者の医療情報が格納されている場合、データベースから同一患者の医療情報を取得して、受信した医療情報と比較し、医療情報に関連性があるか否かを解析する。そして、医療情報の関連性の有無を解析結果としてデータ一元化手段１６に出力する。
【００２９】
また、データ解析手段１５は、データベース内に格納されている医療情報を同一患者毎に解析し、同一患者の医療情報について重複する情報があるか否かを判別する。重複する医療情報がある場合、重複する医療情報についての解析結果をデータ一元化手段１６に出力する。
【００３０】
データ一元化手段１６は、データ解析手段１５の解析結果に基づいて、データベース内に格納されるデータの一元化を行う。具体的に、ネットワークを介して受信した医療情報について、データ解析手段１５の解析結果に基づき、関連性があるとされた医療情報とデータの一元化を行う。また、関連性のない医療情報に付いては、新規な医療情報として管理する。また、データ一元化手段１６は、データベース内に格納されている医療情報について、データ解析手段１５の解析結果に基づき、重複する医療情報についてデータの一元化を行う。
【００３１】
データベース１７は、あらかじめ定義された形式によりデータを格納することにより、医療情報管理システム１００において集積される医療情報を統括的に管理するものである。図３に示すように、データベース１７は、医療情報として、患者情報、電子カルテ情報、病院情報等を格納している。例えば、患者情報は、患者を特定できる情報として、患者氏名、患者ＩＤ、年齢、住所、性別、血液型、身長、体重、ＤＮＡ情報等を含んでいる。電子カルテ情報は、患者情報に対応付けて、症例管理データ、薬歴管理データ、アレルギーデータ、感染症データ等を含んでいる。また、病院情報は、医療情報管理システムと提携してる病院についての情報が含まれ、例えば、病院名、所在地、診療科、医師名等を含んでいる。データベース１７に格納される情報は、例えば、患者を特定する情報に対応付けてそれぞれ一元的に管理されているものとする。
【００３２】
病院端末２ａ〜２ｄは、医療情報管理システム１００と連携する病院において管理される端末であり、各病院において管理される医療情報を記憶するデータベースを備えている。例えば、病院端末２ａは，病院Ａにおいて管理される端末であり、データベースには病院Ａを利用した患者に関する医療情報を格納している。また、病院端末２ｂは、病院Ｂにおいて管理される端末であり、データベースには病院Ｂを利用した患者に関する医療情報を格納している。この病院端末２ａ〜２ｂは、データベースに格納される医療情報が更新されると、更新された医療情報を患者情報に対応付けて医療情報管理サーバ１に送信し、医療情報の統合化を行わせる。
【００３３】
図４を参照して、病院端末２ａ〜２ｂについて詳細に説明する。なお、病院端末２ａ及び２ｂは略同一の構成であるため、以下では病院端末２ａを代表として説明を行う。図４に示すように、病院端末２ａは、ＣＰＵ２１、入力部２２、表示部２３、通信部２４、ＲＡＭ２５、更新データ送信手段２６、データベース２７等から構成され、各部はバス２８により接続されている。
【００３４】
ＣＰＵ２１は、図示しないＲＯＭ（Read Only Memory）を備え、ＲＯＭに記憶された各種制御プログラムに従って、病院端末２ａの各部を集中制御する。具体的に、ＣＰＵ２１は、データベース２６内の医療情報が更新された場合に、更新されたデータを患者情報に対応付けて医療情報管理サーバ１に送信する更新データ送信処理（図６参照）を実行する。なお、処理の詳細については後述する。
【００３５】
入力部２２は、カーソルキー、数字キー、各種機能キー、ジョグダイアルキー等を備えて構成され、撮影者により操作された押下されたキーに対応する押下信号をＣＰＵ２１に出力する。なお、入力部２２は、必要に応じてタッチパネル等のポインティングデバイスや、その他の入力装置を備えるものとしてもよい。
【００３６】
表示部２３は、ＬＣＤ（Liquid Crystal Display）等による表示ディスプレイを備えた表示手段であり、ＣＰＵ２１からの表示指示に基づいて各種表示情報を表示する。具体的に、表示部２３は、入力部２２を介して入力された医療情報や、通信部２４を介して受信したホームページの閲覧画面等を表示する。
【００３７】
通信部２４は、ＬＡＮ、ＷＡＮ、あるいはインターネット等のネットワークＮに接続された伝送媒体に接続可能なインタ−フェ−スである。
【００３８】
ＲＡＭ（Random Access Memory）２５は、前述の指定されたアプリケーションプログラム、入力指示、入力データ及び処理結果等を格納するワークメモリエリアを有する。
【００３９】
更新データ送信手段２６は、入力部２２を介して入力された医療情報や通信部２４を介して受信した医療情報に基づいて、データベース２７の内容が更新されると、更新された医療情報を取得し、患者情報と対応付けて更新された医療情報を医療情報管理サーバ１に送信する。
【００４０】
データベース２７は、あらかじめ定義された形式によりデータを格納することにより、各病院において集積される医療情報を統括的に管理するものである。具体的に、データベース２７は、Ａ病院において診察を受けた患者に関する患者情報、電子カルテ情報、診療情報、病院情報等を格納している。
【００４１】
患者端末３ａ〜３ｂは、医療情報管理システム１００を利用する患者により管理される端末であり、具体的には、医療情報管理サーバ１により開設されるホームページにアクセスして、認証を受け、アクセス権に基づいて、医療情報管理サーバ１に管理される医療情報の提供を受けるものである。
【００４２】
患者端末３ａ〜３ｂは、図５に示すように、ＣＰＵ３１、入力部３２、表示部３３、通信部３４、ＲＡＭ３５、記憶部３６等を備えて構成され、各部はバス３７により接続されている。なお、患者端末３ａ〜３ｂは、上述した病院端末２ａと略同様の構成によってなるため、同一部分には対応する符号を付して、詳細な説明を省略する。
【００４３】
患者端末３ａのＣＰＵ３１は、図示しないＲＯＭ（Read Only Memory）を備え、ＲＯＭに記憶された各種制御プログラムに従って、患者端末３ａの各部を集中制御する。具体的に、ＣＰＵ３１は、入力部３２を介して、医療情報管理サーバ１の開設するホームページへのアクセス指示が入力されると、通信部３４を制御して、アクセス要求を送信する。また、通信部３４を介して、トップページデータを受信すると、ホームページを閲覧するためのブラウザを起動させて、トップページを表示部３３に表示させる。そして、入力部３２から入力される各種指示応じて、医療情報の閲覧を行わせる。
【００４４】
次に、本実施の形態の動作を説明する。
なお、動作説明の前提として、以下のフローチャートに記述されている各処理を実現するためのプログラムは、医療情報管理サーバ１の制御部１１、病院端末２ａ〜２ｂのＣＰＵ２１が読み取り可能なプログラムコードの形態でデータベース１７、データベース２７に格納されており、制御部１１、ＣＰＵ２１は、当該プログラムコードに従った動作を逐次実行する。
【００４５】
まず、病院端末２ａの動作について説明する。図６は、病院端末２ａのＣＰＵ２１により実行される更新データ送信処理を示すフローチャートである。図６に示すように、ＣＰＵ２１は、データベース２６に格納される医療情報が更新されたか否かを判別し（ステップＳ１）、医療情報が更新された場合（ステップＳ１；ＹＥＳ）、更新された医療情報を取得する（ステップＳ２）。
【００４６】
次いで、ＣＰＵ２１は、更新された医療情報に対応する患者情報を取得して（ステップＳ３）、医療情報と患者情報を対応付けて医療情報管理サーバ１に送信する（ステップＳ４）。そして、ＣＰＵ２１は、本医療情報送信処理を終了する。
【００４７】
次に、医療情報管理サーバ１の動作について説明する。図７は、医療情報管理サーバ１の制御部１１により実行される更新データ一元化処理を示すフローチャートである。図７に示すように、ＣＰＵ２１は、病院端末２ａ〜２ｂから医療情報を受信したか否かを判別し（ステップＳ１１）、医療情報を受信した場合（ステップＳ１１；ＹＥＳ）、医療情報に対応付けて送信された患者情報を取得する。そして、制御部１１は、データ解析手段１５により、受信した医療情報と関連する医療情報がデータベース１７にあるか否かの解析を行わせる（ステップＳ１２）。
【００４８】
データ解析手段１５は、取得した患者情報に基づいて、データベース１７において同一の患者についての医療情報を検索する（ステップＳ１２）。ここで、データ解析手段１５は、患者情報として患者氏名「山田太郎」を取得した場合、「やまだたろう」、「ヤマダタロウ」、「YAMADA TARO」、「Taro Yamada」等を検索キーワードとして、医療情報の検索を行う。また、データ解析手段１５は、患者情報に含まれるその他の情報に基づいてデータベース内の検索を行い、一致する情報が所定数以上含まれる医療情報を関連性あり、すなわち、同一患者に関する医療情報であると解析して、解析結果をデータ一元化手段１６に出力する。
【００４９】
続いて、制御部１１は、データ解析手段１５から出力される解析結果に基づいて、受信した医療情報に関連する医療情報があるか否か、すなわち、同一患者に関する医療情報があるか否かを判別し（ステップＳ１３）、同一の患者の医療情報がある場合（ステップＳ１３；ＹＥＳ）、データ一元化手段１６により、同一患者の医療情報について情報の一元化を行わせる。
【００５０】
具体的に、データ一元化手段１６は、データベース１７から同一患者についての医療情報を取得して、受信した医療情報とを比較し（ステップＳ１４）、重複する部分を除いて、新たな医療情報につきデータベース１７に格納させることによりデータの一元化を行う（ステップＳ１５）。
【００５１】
一方、データ解析手段１５の解析結果に基づいて、病院端末２ａから受信した医療情報がデータベース内の医療情報と関連性がないと判別された場合、すなわち、同一患者に関する医療情報がデータベース１７内に格納されていない場合（ステップＳ１３；ＮＯ）、制御部１１は、受信した医療情報を新たな患者としてデータベース１７に格納する（ステップＳ１６）。そして、制御部１１は、本更新データ一元化処理を終了する。
【００５２】
図８は、医療情報管理サーバ１の制御部１１により実行される重複データ一元化処理を示すフローチャートである。なお、重複データ一元化処理は、所定期間毎（例えば、１日１回や１週間に１回）に行われるものであり、予め設定された時間に実行されるか、オペレータの指示により処理が行われるものとする。
【００５３】
図８に示すように、制御部１１は、データ一元化処理を指示された場合（ステップＳ２１；ＹＥＳ）、データベース１７から一の患者情報を取得する（ステップＳ２２）。次いで、制御部１１は、データ解析手段１５により、データベース１７に格納される医療情報について取得した患者情報との関連性を解析させ、一の患者情報に関連する全ての医療情報をデータベース１７から取得する（ステップＳ２３）。
【００５４】
続いて、制御部１１は、データ一元化手段１６により、取得した医療情報のうち重複する部分を抽出させて、重複する医療情報を削除してデータ一元化を行わせる（ステップＳ２５）。続いて、制御部１１は、データベース内に解析を行っていない患者情報があるか否かを判別し、解析を行っていない患者情報がある場合（ステップＳ２６；ＹＥＳ）、ステップＳ２２に戻り、上述した処理を繰り返して実行する。また、解析を行っていない患者情報がない場合（ステップＳ２６；ＮＯ）、すなわち、データベース１７内に格納される全ての患者情報について、医療情報のデータ一元化を行った場合、本重複データ統合化処理を終了する。
【００５５】
また、医療情報管理サーバ１は、ホームページ開設手段１３により、作成されたホームページデータをネットワークＮ上にアップロードして、ホームページを介して受信したアクセス要求に応じて医療情報を提供する医療情報提供処理を実行する。図９は、制御部１１により実行される医療情報提供処理を示すフローチャートである。
【００５６】
図９に示すように、ネットワーク上に開設したホームページを介して、病院端末２ａ〜２ｂ又は患者端末３ａ〜３ｂからアクセス要求を受信すると（ステップＳ３１；ＹＥＳ）、制御部１１は、対応する端末に認証画面を送信して（ステップＳ３２）、認証情報を受信する（ステップＳ３４）。
【００５７】
次いで、制御部１１は、受信した認証情報に基づいて、認証を行い、データベース１７へのアクセス権を許容する（ステップＳ３４）。続いて、制御部１１は、医療情報の閲覧要求を受信すると、許容したアクセス権に応じて医療情報を対応する病院端末２ａ〜２ｂ又は患者端末３ａ〜３ｂに送信して、医療情報の提供を行う（ステップＳ３５）。そして、アクセスが終了すると本医療情報提供処理を終了する。
【００５８】
図１０を参照して、上述した医療情報提供処理において医療情報管理サーバ１が提供するホームページの閲覧画面について説明する。図１０（ａ）は、医療情報管理サーバ１により開設されるホームページのトップページの一例を示す図である。図１０に示すように、トップページ１０１には、「ME.com」、「DO-ctor Network」、「Clinic I」、「My Carte」の項目がそれぞれ設けられ、各項目に対応するサイトへのリンクが貼られている。
【００５９】
具体的に、「ME.com」は、患者同士が情報交換を行うサイトであり、例えば、病院や医師に関する情報の交換を行うことができる。「DO-ctor Network」は医者同士が情報交換を行うサイトであり、複数の医師による共同診療やＷＥＢカンファレンスを行うことができる。「Clinic I」は、医者と患者との間で情報交換が行われるサイトであり、医師による遠隔診断や複数の医師によるセカンドオピニオンを行うことができる。「My Carte」は、患者の電子カルテを閲覧するためのサイトであり、本実施の形態における医療情報提供処理は、主にこのサイトを利用して行われるものとする。
【００６０】
なお、トップページ１０１において、各項目がクリックされると、各項目に対応するサイトを利用する前に、医療情報管理サーバ１からユーザ認証を行うための認証画面が送信される。図１０（ｂ）は、認証画面の一例を示す図である。図１０（ｂ）に示すように、認証画面には、医療情報管理システム１００を利用するためのユーザＩＤと、パスワードを入力する項目が設けられている。ユーザＩＤ及びパスワードは、予め登録され、アクセス権とともにデータベース１７に格納されているものとする。この認証画面１０１において、ユーザＩＤ及びパスワードが入力され、送信ボタンをクリックされると、ユーザＩＤ及びパスワードが認証情報として医療情報管理サーバ１に送信され、送信した認証情報に基づいて各アクセス権が許可される。
【００６１】
以上のように、本実施の形態によれば、各病院における医療情報を管理するデータベース２７が備えられた病院端末２ａ〜２ｂと、医療情報管理サーバ１とが接続され、病院端末２ａ〜２ｂにおいて、データベース２７の情報が更新されると、更新された医療情報が患者情報と対応付けて医療情報管理サーバ１に送信され、医療情報管理サーバ１において、受信した患者情報に基づいて、データベース１７内の関連する医療情報との一元化が行われる。また、医療情報管理サーバ１は、データベース１７内において、同一患者の医療情報について抽出し、重複するデータを削除して情報の一元化を行う。
【００６２】
したがって、各地域に点在して管理される医療情報を医療情報管理サーバ１の備えるデータベース１７において統合的に管理することができる。これにより、各病院において取得された医療情報を複数の病院において利用することができ、重複した検査や、重複投薬を防止することができる。この結果、患者は安心して医療サービスを受けることができる。また、医療情報が統合的に管理されることにより、各地域において均一の医療サービスを受けることができ、医療サービスの質を向上させることができる。
【００６３】
また、データベース１７内において、重複して格納される医療情報についても、患者情報に基づいて統合的に管理されるため、不必要なデータがデータベースに蓄積されることなく、データベース資源を有効に利用することができる。また、患者情報に基づいてデータが効率化されることにより、必要なデータを速やかに取得することができる。
【００６４】
さらに、医療情報管理サーバ１は、ネットワークＮ上にホームページを開設し、ホームページを介してアクセスした病院端末２ａ〜２ｂ又は患者端末３ａ〜３ｂに医療情報を提供するため、医師及び患者はホームページを介して２４時間いつでも速やかに必要な情報を取得することができる。これにより、例えば、体調の急変等に迅速に対応することが可能となり、的確な処置を施すことができる。
【００６５】
また、医療情報管理サーバ１において、アクセス権管理手段１４により、病院端末２ａ〜２ｂ又は患者端末３ａ〜３ｂから受信した認証情報に基づいて、データベース１７に格納される医療情報のアクセス権を管理するため、個人情報を含む重要な情報のセキュリティを適切に保護することができる。
【００６６】
なお、上述した本実施の形態における記述は、本発明に係る医療情報管理システムの一例であり、これらに限定されるものではない。例えば、医療情報管理サーバ１のデータベース１７に格納される医療情報の種類は上述した例に限らず、各医療機関において取得、管理される種々の情報が格納されているものとする。
【００６７】
また、医療情報の関連性を患者情報に基づいて判別する構成として説明を行ったが、これに限らず、医療情報を一元化する上で好適な情報に基づいて、医療情報の関連性を判別し、関連する医療情報についてデータの統合化を行う構成であればよい。
【００６８】
また、本実施の形態において、病院端末２ａ〜２ｂがデータベース２７を備え、データベース２７の医療情報が更新された場合に、更新データ送信手段２６により、更新された医療情報が患者情報に対応付けられて医療情報管理サーバ１に送信される場合を例として説明を行ったが、これに限らず、例えば、オペレータにより、医療情報を送信する指示が入力され、データベース２７に格納された医療情報が送信される構成であってもよい。或いは、病院端末２ａ〜２ｂにデータベース２７を備えず、病院端末２ａ〜２ｂの入力部２２を介して医療情報が入力された場合、又は、オペレータにより入力された医療情報を送信する指示が入力された場合に、医療情報を患者情報と対応付けて医療情報管理サーバ１に送信する構成であってもよい。
【００６９】
その他、本実施の形態における医療情報管理システム１００における各装置の細部構成、及び細部動作に関しても、本発明の趣旨を逸脱することのない範囲で適宜変更可能である。
【図面の簡単な説明】
【００７０】
【図１】本発明を適用した実施の形態における医療情報管理システム１００のシステム構成を示す図である。
【図２】図１に示す医療情報管理サーバ１の機能的構成を示すブロック図である。
【図３】図１に示す病院端末２ａの機能的構成を示すブロック図である。
【図４】図２に示すデータベース１７のデータ構成例を示す図である。
【図５】図１に示す患者端末３ａの機能的構成を示すブロック図である。
【図６】病院端末２ａのＣＰＵ２１により実行される更新データ送信処理を示すフローチャートである。
【図７】医療情報管理サーバ１の制御部１１により実行される更新データ統合処理を示すフローチャートである。
【図８】医療情報管理サーバ１の制御部１１により実行される重複データ統合処理を示すフローチャートである。
【図９】医療情報管理サーバ１により開設されるホームページのトップページを示す図である。
【図１０】医療情報管理サーバ１により開設されるホームページの認証画面を示す図である。
【符号の説明】
【００７１】
１  医療情報管理サーバ
１１    制御部
１２    通信部
１３    ホームページ開設手段
１４    アクセス権管理手段
１５    データ解析手段
１６    データ一元化手段
１７    データベース
２  病院端末
２１    ＣＰＵ
２２    入力部
２３    表示部
２４    通信部
２５    ＲＡＭ
２６    更新データ送信手段
３  患者端末
３１    制御部
３２    入力部
３３    表示部
３４    通信部
３５    ＲＡＭ
３６    記憶部
Ｎ  ネットワーク
【図１】
2005078183.tif 000003
【図２】
2005078183.tif 000004
【図３】
2005078183.tif 000005
【図４】
2005078183.tif 000006
【図５】
2005078183.tif 000007
【図６】
2005078183.tif 000008
【図７】
2005078183.tif 000009
【図８】
2005078183.tif 000010
【図９】
2005078183.tif 000011
【図１０】
2005078183.tif 000012